(57)【特許請求の範囲】
【請求項１】
バッテリーパックのベースプレートに搭載されている複数のバッテリーモジュールに一対一で電気的に結合している複数のスレーブバッテリー管理ユニットに識別情報を割り当てるための装置であって、
前記ベースプレートとともに前記複数のスレーブバッテリー管理ユニットを少なくとも部分的に覆うように構成されたケーシングジグと、
前記ベースプレートに対向する前記ケーシングジグの領域内に、前記複数のスレーブバッテリー管理ユニットに一対一で対応するように配置される複数のアンテナを含む無線通信部と、
前記無線通信部に電気的に結合したコントローラと、
前記複数のスレーブバッテリー管理ユニットのうち少なくとも一つに選択的に動作電源を供給するように構成された電源供給部と、
を含み、
前記コントローラは、
前記複数のアンテナの少なくとも一つを選択し、
前記選択された各アンテナに関わる識別情報を含む第１制御信号を前記無線通信部に伝送し、
前記第１制御信号の送信時、前記第１制御信号に関わる第２制御信号を前記電源供給部に伝送し、
前記無線通信部は、
前記第１制御信号に応じて、前記識別情報に関わるアンテナを介して前記識別情報を示す無線信号を出力し、
前記電源供給部は、
前記第２制御信号に応じて、前記複数のスレーブバッテリー管理ユニットのうち前記選択された各アンテナに対応するスレーブバッテリー管理ユニットに前記動作電源を供給する、
装置。
【請求項２】
前記コントローラが、
前記複数のアンテナのうち二つ以上を同時に選択するか、または、前記複数のアンテナを予め決められた手順で一つずつ選択する、請求項１に記載の装置。
【請求項３】
前記無線信号が、予め決められた範囲の信号強度を有する、請求項１または２に記載の装置。
【請求項４】
前記ケーシングジグが、
金属物質からなり、前記複数のアンテナを配置できるように前記ケーシングジグの全体的な外形を定義する支持部材と、
前記支持部材の内部面の少なくとも一部に結合する電磁波吸収部材と、を含む、請求項１から３のいずれか一項に記載の装置。
【請求項５】
前記コントローラは、複数の基準位置及び前記複数の基準位置に一対一でマッピングされている複数の識別情報が既に保存されたメモリーを含み、
前記複数の基準位置は、前記複数のアンテナが前記ケーシングジグに配置された位置を個別的に示す、請求項１から４のいずれか一項に記載の装置。
【請求項６】
前記コントローラが、
前記メモリーに既に保存された前記複数の基準位置を参照して、前記複数のアンテナのうち第１アンテナ及び第２アンテナを同時に選択し、
前記第１アンテナに対応する第１基準位置及び前記第２アンテナに対応する第２基準位置間の距離は、予め決められた臨界距離以上である、請求項５に記載の装置。
【請求項７】
バッテリーパックのベースプレートに搭載されている複数のバッテリーモジュールに一対一で電気的に結合している複数のスレーブバッテリー管理ユニットに識別情報を割り当てるための装置であって、
前記ベースプレートとともに前記複数のスレーブバッテリー管理ユニットを少なくとも部分的に覆うように構成されたケーシングジグと、
前記ベースプレートに対向する前記ケーシングジグの領域内に、前記複数のスレーブバッテリー管理ユニットに一対一で対応するように配置される複数のアンテナを含む無線通信部と、
前記無線通信部に電気的に結合したコントローラと、を含み、
前記コントローラは、
複数の基準位置及び前記複数の基準位置に一対一でマッピングされている複数の識別情報が既に保存されたメモリーを有し、
前記メモリーに既に保存された前記複数の基準位置を参照して、前記複数のアンテナのうち第１アンテナ及び第２アンテナを同時に選択し、
前記選択された各アンテナに関わる識別情報を含む第１制御信号を前記無線通信部に伝送し、
前記無線通信部は、
前記第１制御信号に応じて、前記識別情報に関わるアンテナを介して前記識別情報を示す無線信号を出力し、
前記複数の基準位置は、前記複数のアンテナが前記ケーシングジグに配置された位置を個別的に示し、
前記第１アンテナに対応する第１基準位置及び前記第２アンテナに対応する第２基準位置間の距離は、予め決められた臨界距離以上である、装置。
【発明の詳細な説明】
【技術分野】
【０００１】
本発明は、バッテリーパックに搭載される複数のスレーブバッテリー管理ユニットに識別情報を割り当てるための装置に関し、より詳しくは、バッテリーパックの組立てが完了する前、無線信号を用いて各スレーブバッテリー管理ユニットに他のスレーブバッテリー管理ユニットとは異なる識別情報を割り当てるための装置に関する。
【０００２】
本出願は、２０１７年９月２５日出願の韓国特許出願第１０−２０１７−０１２３４２１号に基づく優先権を主張し、該当出願の明細書及び図面に開示された内容は、すべて本出願に組み込まれる。
【背景技術】
【０００３】
最近、ノートブックＰＣ、ビデオカメラ、携帯電話などのような携帯用電子製品の需要が急増し、電気自動車、エネルギー貯蔵用蓄電池、ロボット、衛星などの開発が本格化するにつれ、反復的な充放電の可能な高性能バッテリーについての研究が活発に進行しつつある。
【０００４】
現在、商用化した二次電池としては、ニッケルカドミウム電池、ニッケル水素電池、ニッケル亜鉛電池、リチウム二次電池などがあり、このうち、リチウム二次電池は、ニッケル系の二次電池に比べてメモリー効果がほとんど起こらず、充放電が自由で、自己放電率が非常に低くてエネルギー密度が高いという長所から脚光を浴びている。
【０００５】
電気車などに適用されるバッテリーパックは、通常、相互直列及び／または並列に接続した複数のバッテリーモジュール及び複数のスレーブバッテリー管理ユニットを含む。各スレーブバッテリー管理ユニットは、自分が管理するように指定されたバッテリーモジュールの状態をモニター及び制御する。最近は、大容量かつ高出力のバッテリーパックが要求されることによって、バッテリーパックに含まれるバッテリーモジュールの個数も増加しつつある。このようなバッテリーパックに含まれた各バッテリーモジュールを効率的に管理するために、マルチスレーブ構造が開示されている。マルチスレーブ構造は、各バッテリーモジュールに設けられる複数のスレーブバッテリー管理ユニットと、上記複数のスレーブバッテリー管理ユニットを全般的に管制するマスターバッテリー管理ユニットと、を含む。
【０００６】
マルチスレーブ構造を有するバッテリーパックにおいて、マスターバッテリー管理ユニットが複数のスレーブバッテリー管理ユニットから複数のバッテリーモジュールの状態情報を収集し、複数のスレーブバッテリー管理ユニットに複数のバッテリーモジュールについての制御命令を伝達するためには、各スレーブバッテリー管理ユニットが自分の管理するバッテリーモジュールの物理的または電気的位置を示すＩＤの割当てを受けなければならない。
【０００７】
特許文献１には、複数のスレーブバッテリー管理ユニットに順次にＩＤを割り当てる技術が開示されている。特許文献１は、マスターバッテリー管理ユニットが各スレーブバッテリー管理ユニットと有線で連結された状態でＩＤを割り当てる方式を提案している。ところが、特許文献１によるＩＤ割当て方式は、マスターバッテリー管理ユニットと各スレーブバッテリー管理ユニットとの有線連結を前提にするため、電線の断線などの恐れが存在し、空間の制約が大きい。また、各スレーブバッテリー管理ユニットのハードウェア的な位置順にＩＤを設定するためには、各スレーブバッテリー管理ユニットが管理するバッテリーによる電位差を測定する過程が必須に先行されなければならない。
【０００８】
また、マスターバッテリー管理ユニットが無線方式で複数のスレーブバッテリー管理ユニットに識別情報を割り当てる方式が考えられる。無線方式で識別情報を割り当てるために、マスターバッテリー管理ユニットは、各スレーブバッテリー管理ユニットがバッテリーパックに含まれた複数のバッテリーモジュールのいずれに電気的に結合しているかをチェックする過程を先行しなくてはならない。しかし、各スレーブバッテリー管理ユニットが、自分が結合したバッテリーモジュールのモジュール情報（例えば、電位、電圧、温度など）をマスターバッテリー管理ユニットに無線で伝送するとしても、マスターバッテリー管理ユニットは、各々のモジュール情報が複数のスレーブバッテリー管理ユニットのいずれによって送信されたかを判定しにくい。
【先行技術文献】
【特許文献】
【０００９】
【特許文献１】韓国公開特許公報第１０−２０１１−００１３７４７号（２０１１年０２月１０日公開）
【発明の概要】
【発明が解決しようとする課題】
【００１０】
本発明は、上記問題点に鑑みてなされたものであり、バッテリーパックの製造が完了する前、バッテリーパックに搭載されている複数のスレーブバッテリー管理ユニット（ＢＭＵ：Ｂａｔｔｅｒｙ  Ｍａｎａｇｅｍｅｎｔ  Ｕｎｉｔ）に無線信号を用いて識別情報を割当て可能な装置を提供することを目的とする。
【００１１】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１２】
上記の課題を達成するための本発明の多様な実施例は、以下のようである。
【００１３】
本発明の一実施例による識別情報割当装置は、バッテリーパックのベースプレートに搭載されている複数のバッテリーモジュールに一対一で電気的に結合している複数のスレーブバッテリー管理ユニットに識別情報を割り当てるためのものである。
【００１４】
上記装置は、上記ベースプレートと共に上記複数のスレーブバッテリー管理ユニットを少なくとも部分的に覆うように構成されたケーシングジグと、上記ベースプレートに対向する上記ケーシングジグの領域内に、上記複数のスレーブバッテリー管理ユニットに一対一で対応するように配置される複数のアンテナを含む無線通信部と、上記無線通信部に電気的に結合したコントローラと、を含む。上記コントローラは、上記複数のアンテナの少なくとも一つを選択し、上記選択された各アンテナに関わる識別情報を含む第１制御信号を上記無線通信部に伝送する。上記無線通信部は、上記第１制御信号に応じて、上記識別情報に関わるアンテナを介して上記識別情報を示す無線信号を出力する。
【００１５】
具現例によって、上記コントローラは、上記複数のアンテナのうち二つ以上を同時に選択するか、または、上記複数のアンテナを予め決められた手順で一つずつ選択し得る。
【００１６】
具現例によって、上記無線信号は、予め決められた範囲の信号強度を有し得る。
【００１７】
具現例によって、上記ケーシングジグは、金属物質からなり、上記複数のアンテナが配置されるように上記ケーシングジグの全体的な外形を定義する支持部材と、上記支持部材の内部面の少なくとも一部に結合する電磁波吸収部材と、を含み得る。
【００１８】
具現例によって、上記コントローラは、複数の基準位置及び上記複数の基準位置に一対一でマッピングされている複数の識別情報が既に保存されたメモリーを含み得る。上記複数の基準位置は、上記複数のアンテナが上記ケーシングジグに配置された位置を個別的に示し得る。
【００１９】
具現例によって、上記コントローラは、上記メモリーに既に保存された上記複数の基準位置を参照して、上記複数のアンテナのうち第１アンテナ及び第２アンテナを同時に選択し得る。この場合、上記第１アンテナに対応する第１基準位置及び上記第２アンテナに対応する第２基準位置間の距離は、予め決められた臨界距離以上であり得る。
【００２０】
具現例によって、上記複数のスレーブバッテリー管理ユニットのうち少なくとも一つに選択的に動作電源を供給するように構成された電源供給部をさらに含み得る。上記コントローラは、上記第１制御信号の送信時、上記第１制御信号に関わる第２制御信号を上記電源供給部に伝送し得る。上記電源供給部は、上記第２制御信号に応じて、上記複数のスレーブバッテリー管理ユニットのうち上記選択された各アンテナに対応するスレーブバッテリー管理ユニットに上記動作電源を供給し得る。
【発明の効果】
【００２１】
本発明の実施例の少なくとも一つによれば、バッテリーパックに搭載されている複数のスレーブＢＭＵに無線信号を用いて識別情報を割り当てることができる。これによって、別の有線連結ラインなく複数のスレーブＢＭＵの識別情報を容易に割り当てることができる。
【００２２】
また、本発明の実施例の少なくとも一つによれば、バッテリーパックの製造が完了する前、複数のスレーブＢＭＵに識別情報を割り当てることができる。
【００２３】
なお、本発明の効果は前述の効果に制限されず、言及していないさらに他の効果は、請求範囲の記載から当業者にとって明確に理解されるであろう。
【図面の簡単な説明】
【００２４】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】本発明の一実施例による識別情報割当装置がバッテリーパックのベースプレートから分離した様子を概略的に示す図である。
【図２】図１の識別情報割当装置がバッテリーパックのベースプレートに結合した様子を概略的に示す図である。
【図３】図２の線Ａ−Ａに沿って見た断面図である。
【図４】本発明の一実施例による識別情報割当装置の説明に参照される図である。
【発明を実施するための形態】
【００２５】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２６】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２７】
また、本発明に関連する公知の機能または構成についての具体的な説明が、本発明の要旨をぼやかすと判断される場合、その説明を省略する。
【００２８】
第１、第２などのように序数を含む用語は、多様な構成要素のうちいずれか一つを残りと区別する目的として使用され、このような用語によって構成要素が限定されることではない。
【００２９】
なお、明細書の全体にかけて、ある部分が、ある構成要素を「含む」とするとき、これは特に反する記載がない限り、他の構成要素を除くことではなく、他の構成要素をさらに含み得ることを意味する。また、明細書に記載の「制御ユニット」のような用語は、少なくとも一つの機能や動作を処理する単位を示し、これはハードウェアやソフトウェア、またはハードウェアとソフトウェアとの結合せにより具現され得る。
【００３０】
さらに、明細書の全体に亘って、ある部分が他の部分と「連結（接続）」されているとするとき、これは、「直接的に連結（接続）」されている場合のみならず、その中間に他の素子を介して「間接的に（接続）」されている場合も含む。
【００３１】
図１は、本発明の一実施例による識別情報割当装置１００がバッテリーパック１０のベースプレート１１から分離した様子を概略的に示す図であり、図２は、図１の識別情報割当装置１００がバッテリーパック１０のベースプレート１１に結合した様子を概略的に示す図であり、図３は、図２の線Ａ−Ａに沿って見た断面図である。
【００３２】
図１〜図３を参照すれば、識別情報割当装置１００（以下、「装置」とする。）は、組立てが完了する前のバッテリーパック１０に装着されている複数のスレーブＢＭＵ３０に相異なる識別情報を割り当てる。識別情報は、例えば、マスターＢＭＵ（図示せず）との無線通信に用いられる固有のアドレスであり得る。バッテリーパック１０は、ベースプレート１１の上に複数のバッテリーモジュール２０、複数のスレーブＢＭＵ３０及びマスターＢＭＵを装着した後、パック１０のカバー（図示せず）を締結することで組立てが完了する。装置１００は、パック１０のカバーがベースプレート１１に締結される前、複数のスレーブＢＭＵ３０に識別情報を割り当てるのに用いられる。
【００３３】
理解を助けるために、ベースプレート１１の上に総１０個のバッテリーモジュール２０−１〜２０−１０が２×５のマトリクス形状に配置されたと仮定する。複数のスレーブＢＭＵ３０−１〜３０−１０は、複数のバッテリーモジュール２０−１〜２０−１０に一対一で電気的に結合している。各スレーブＢＭＵ３０は、自分が電気的に結合したバッテリーモジュール２０や装置１００から動作電源を受けて動作し得る。各スレーブＢＭＵ３０は、装置１００からの無線信号を収集するように構成された少なくとも一つのアンテナ３１を含む。
【００３４】
装置１００は、ケーシングジグ１１０、無線通信部１２０、コントローラ１３０及びメモリー１４０を含み得る。
【００３５】
ケーシングジグ１１０は、ベースプレート１１と共に複数のスレーブＢＭＵ３０−１〜３０−１０を少なくとも部分的に覆うように構成される。ケーシングジグ１１０は、ベースプレート１１に締結されるパックカバー（図示せず）と同一または類似の外観を有し得る。勿論、必要に応じて、ケーシングジグ１１０の形状と大きさなどは自由に変更可能である。
【００３６】
ケーシングジグ１１０は、基本的に支持部材１１１を含み、選択的に電磁波吸収部材１１２をさらに含む。支持部材１１１は、無線通信部１２０に含まれた複数のアンテナ１２１−１〜１２１−１０を配置できるようケーシングジグ１１０の全体的な外形を定義する。具現例によって、支持部材１１１の少なくとも一部は金属物質からなり得る。
【００３７】
例えば、支持部材１１１は、ケーシングジグ１１０の上部面を形成する基板１１１ａ及び側面を形成する壁１１１ｂを有し、下部は、開放された一種の箱形状を有し得る。ケーシングジグ１１０の開放された下部は、ベースプレート１１によって少なくとも部分的に密閉され、ケーシングジグ１１０とベースプレート１１との結合によって提供される内部空間には、複数のバッテリーモジュール２０、複数のスレーブバッテリー管理ユニット３０及び複数のアンテナ１２１が収容された状態となる。
【００３８】
電磁波吸収部材１１２は、支持部材１１１の内部面の少なくとも一部に結合する。電磁波吸収部材１１２は、ケーシングジグ１１０とベースプレート１１との結合によって提供される内部空間で複数のアンテナ１２１から発生する電磁波によるノイズを抑制する。
【００３９】
無線通信部１２０は、複数のアンテナ１２１及び無線通信回路１２２を含む。複数のアンテナ１２１は、基板の両面のうちベースプレート１１に対向する下面の一領域内に、複数のスレーブＢＭＵ３０に一対一で対応するように相互離隔して配置される。即ち、２ｎ≧ｍ≧１である場合、第ｍアンテナ１２１は、残りのアンテナ１２１よりも第ｍスレーブＢＭＵ３０に近いケーシングジグ１１０の特定位置に配置される。第ｍアンテナ１２１は、第ｍスレーブＢＭＵ３０から基準距離以内に位置し、残りのスレーブＢＭＵ３０からは、基準距離よりも遠く位置するように配置され得る。
【００４０】
無線通信回路１２２は、コントローラ１３０からの第１制御信号に応じて、複数のアンテナ１２１−１〜１２１−１０のうち少なくとも一つを介して複数のスレーブＢＭＵ３０−１〜３０−１０の少なくとも一つに無線信号を出力する。この際、第１制御信号は、アンテナ選択情報及び識別情報を含み得る。アンテナ選択情報とは、複数のアンテナ１２１−１〜１２１−１０のうち無線信号を出力するのに用いるアンテナ１２１−ｋ（ｋ＝１〜１０）を選択する情報である。識別情報は、アンテナ選択情報によって選択されたアンテナ１２１−ｋに対応するスレーブＢＭＵ３０−ｋに割り当てる情報である。即ち、第１制御信号に含まれた識別情報は、無線通信回路１２２によって変調された後、アンテナ選択情報が示すアンテナ１２１−ｋを介して無線で送信される。アンテナ１２１−ｋを介して送信された無線信号は、複数のスレーブＢＭＵ３０−１〜３０−６のうちアンテナ１２１−ｋに対応する位置に配置されたスレーブＢＭＵ３０−ｋに備えられたアンテナ３１−ｋによって受信できる。
【００４１】
無線通信回路１２２は、第１制御信号によって選択される各アンテナ１２１によって出力される無線信号が予め決められた範囲の信号強度を有するように制御できる。無線信号は、伝播されながらその強度が徐々に弱くなるため、各アンテナ１２１が予め決められた範囲の信号強度を有する無線信号を出力する場合、各アンテナ１２１から基準距離以内に位置する一つのスレーブＢＭＵ３０のみが無線信号を正常に感知できる。例えば、第ｍアンテナ１２１−ｍ（ｍ＝１〜１０）によって出力された無線信号の信号強度は、第ｍアンテナ１２１−ｍから基準距離までは臨界信号強度と同一またはより大きいが、第ｍアンテナ１２１−ｍから基準距離を超えれば、臨界信号強度よりも小さくなるため、第ｍスレーブＢＭＵ３０−ｍのみが第ｍアンテナ１２１−ｍによって出力された無線信号に応じることができる。ここで、臨界信号強度は、各スレーブＢＭＵ３０が感知可能な信号強度の最小値であり得る。
【００４２】
コントローラ１３０は、メモリー１４０及びプロセッサを含み、無線通信部１２０に電気的に結合する。複数のメモリー１４０には、複数の基準位置情報及び複数の識別情報が予め保存され得る。複数の基準位置は、複数のアンテナ１２１−１〜１２１−１０がケーシングジグ１１０に配置された位置を個別的に示すことができる。
【００４３】
コントローラ１３０は、複数のアンテナ１２１−１〜１２１−１０のうち少なくとも一つを選択し得る。即ち、コントローラ１３０は、複数のアンテナ１２１−１〜１２１−１０のうち二つ以上を同時に選択するか、または、複数のアンテナ１２１−１〜１２１−１０を予め決められた手順で一つずつ順次選択し得る。コントローラ１３０は、自分によって選択されたアンテナ１２１−ｋを示すアンテナ選択情報及び選択されたアンテナ１２１−ｋに係わる識別情報を含む第１制御信号を無線通信部１２０に伝送する。
【００４４】
コントローラ１３０は、複数のアンテナ１２１−１〜１２１−１０のうち二つ以上を同時に選択する場合、メモリー１４０に既に保存された複数の基準位置を参照し得る。具体的に、コントローラ１３０は、複数の基準位置のうち相互から臨界距離ＤＴＨ以上離隔した二つ以上の基準位置を決定し得る。この際、臨界距離は、前述の基準距離と同一またはより長いことがある。例えば、第６アンテナ１２１−６と第７アンテナ１２１−７との距離は、臨界距離ＤＴＨよりも短いため、コントローラ１３０は、第６アンテナ１２１−６及び第７アンテナ１２１−７のいずれか一つを選択する場合、それと同時に他の一つを選択しない。一方、第６アンテナ１２１−６と第８アンテナ１２１−８との距離は、臨界距離ＤＴＨよりも長いため、コントローラ１３０は、第６アンテナ１２１−６と第８アンテナ１２１−８とを同時に選択し得る。臨界距離ＤＴＨが基準距離以上であるため、臨界距離ＤＴＨよりも遠く離れた二つ以上のアンテナ（例えば、１２１−６と１２１−８）が同時に二つの無線信号を出力するとしても、各スレーブＢＭＵ３０は、自分に対応する一つのアンテナからの無線信号のみを正常に受信し得る。
【００４５】
コントローラ１３０に含まれたプロセッサは、多様な制御ロジッグを実行するために当業界に知られたプロセッサ、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、レジスター、通信モデム、データ処理装置などを選択的に含み得る。スレーブ制御部１４０の多様な制御ロジッグは少なくとも一つ以上が組み合わせられ、組み合わせられた制御ロジッグは、コンピュータが読出可能なコード体系で作成され、コンピュータが読出可能な記録媒体に収録され得る。記録媒体は、コンピュータに含まれたプロセッサによってアクセス可能なものであれば、その種類は特に制限されない。一例として、記録媒体は、ＲＯＭ、ＲＡＭ、レジスター、ＣＤ−ＲＯＭ、磁気テープ、ハードディスク、フロッピーディスク及び光データ記録装置を含む群より選択された少なくとも一つ以上を含む。また、コード体系は、キャリア信号に変調されて特定の時点で通信キャリアに含まれ得、ネットワークによって接続したコンピュータに分散して保存されて実行され得る。また、組み合わせられた制御ロジッグを具現するための機能的なプログラム、コード及びコードセグメントは、本発明が属する技術分野におけるプログラマーによって容易に推論できる。
【００４６】
図４は、本発明の一実施例による識別情報割当装置１００を説明するのに参照される図である。理解を助けるために、図３のように断面図を示した。
【００４７】
図４を参照すれば、図１〜図３を参照して前述の実施例と比べるとき、装置１００が電源供給部１５０をさらに含むという点のみで相違している。
【００４８】
電源供給部１５０は、コントローラ１３０に動作可能に結合するものであって、複数の電源供給ライン１５１−１〜１５１−１０を介して複数のスレーブＢＭＵ３０−１〜３０−１０に接続する。電源供給部１５０は、複数のスレーブＢＭＵ３０−１〜３０−１０うち少なくとも一つに選択的に動作電源を供給するように構成される。このために、電源供給部１５０は、複数の電源ラインを介して複数のスレーブＢＭＵ３０−１〜３０−１０に個別的に接続する。
【００４９】
コントローラ１３０は、無線通信部１２０に第１制御信号を送信するとき、第１制御信号に係わる第２制御信号を電源供給部１５０に伝送し得る。第２  制御信号は、第１制御信号に含まれたアンテナ選択情報に対応するスレーブ選択情報を含む。例えば、第１制御信号のアンテナ選択情報が、第ｍアンテナ１２１−ｍを選択するためのものである場合、第２制御信号のスレーブ選択情報は、第ｍスレーブＢＭＵ３０−ｍを選択するためのものであり得る。
【００５０】
電源供給部１５０は、第２制御信号に応じて、複数のスレーブＢＭＵ３０−１〜３０−１０のうち第１制御信号によって選択されたアンテナ１２１−ｋに対応するスレーブＢＭＵ３０−ｋに電源ライン１５１−ｋを介して動作電源を供給し得る。第２制御信号によって選択された各スレーブＢＭＵ３０は、電源供給部１５０からの動作電源を用いて、自分のアンテナ３１を活性化することで、無線通信部１２０からの無線信号を感知できるウェークアップ状態となる。一方、第２制御信号によって選択されていない残りのスレーブＢＭＵ３０は、電源供給部１５０からの動作電源が供給されないので、無線通信部１２０からの無線信号を感知できないスリープ状態に維持される。
【００５１】
以上、本発明を限定された実施例と図面によって説明したが、本発明はこれに限定されず、本発明の属する技術分野で通常の知識を持つ者によって本発明の技術思想と特許請求の範囲の均等範囲内で多様な修正及び変形が可能であることは言うまでもない。
【００５２】
また、上述の本発明は、本発明が属する技術分野における通常の知識を持つ者によって本発明の技術思想から脱しない範囲内で多様な置換、変形及び変更が可能であるため、上述の実施例及び添付された図面によって限定されず、多様な変形が行われるように各実施例の全部または一部を選択的に組み合わせて構成可能である。
【符号の説明】
【００５３】
１０    バッテリーパック
１１    ベースプレート
２０    バッテリーモジュール
３０    スレーブバッテリー管理ユニット
１００    識別情報割当装置
１１０    ケーシングジグ
１２０    無線通信部
１３０    コントローラ
１４０    メモリー
【図１】
0006822729.tif 000002
【図２】
0006822729.tif 000003
【図３】
0006822729.tif 000004
【図４】
0006822729.tif 000005